(57)【要約】薬液が充填された筒状カートリッジの開口部を密封する際に巻き込まれた空気が筒状カートリッジ内に残留するのを未然に防止することができるカートリッジキャップを提供する。  薬液が充填された円筒状カートリッジ２の開口部を密封する際に巻き込まれた空気は、円筒状カートリッジ２のリップ部２Ａの外周面と、カートリッジキャップ１の円筒状壁部１Ｂにおける４つの台状受部１Ｆ，１Ｆ…が形成されていない内周面との間の隙間を含む円筒状壁部１Ｂの内周面に沿ったエアリリーフ通路ＡＲを介して円筒状カートリッジ２の外部に逃がされる。このため、円筒状カートリッジ２内に空気が残留するのを未然に防止することができる。
2011055853.tif 000002
【特許請求の範囲】
【請求項１】
薬液が充填された筒状カートリッジの開口部を密封するカートリッジキャップであって、
天板部に連続する筒状壁部の内周面には、筒状カートリッジの開口部に形成されたつば状のリップ部の外周面が嵌合する嵌合受面と、リップ部を天板部との間に挟み込む挟持部とを有する複数の台状受部が周方向に所定の間隔を開けて形成されており、
各台状受部間の筒状壁部の内周面に沿ってエアリリーフ通路が形成されることを特徴とするカートリッジキャップ。
【請求項２】
前記天板部の外面には、その周方向に所定の間隔を開けて複数の肉厚部が形成されており、各肉厚部の周方向位置が前記各台状受部間のエアリリーフ通路の周方向位置に対応して設定されていることを特徴とする請求項１に記載のカートリッジキャップ。
【請求項３】
薬液が充填された筒状カートリッジの開口部を密封するカートリッジキャップであって、
天板部に連続する筒状壁部の内周面には、筒状カートリッジの開口部に形成されたつば状のリップ部の外周面が嵌合する嵌合受面と、リップ部を天板部との間に挟み込む挟持部とを有する帯状受部が周方向に連続して形成されており、
帯状受部の嵌合受面には筒状壁部を貫通するエアリリーフ穴が開口していることを特徴とするカートリッジキャップ。
【請求項４】
前記挟持部は、前記筒状壁部の周方向に延びる帯状に形成されており、その周面には、前記リップ部の外周面を案内するテーパ面が形成されていることを特徴とする請求項１〜３の何れか１項に記載のカートリッジキャップ。
【発明の詳細な説明】
【技術分野】
【０００１】
本発明は、カートリッジキャップに関し、詳しくは、薬液が充填された筒状カートリッジの開口部を密封するカートリッジキャップに関するものである。
【背景技術】
【０００２】
注射器用のシリンジとして、薬液が充填されたプレフィルドシリンジが従来一般に知られている（特許文献１参照）。また、この種のプレフィルドシリンジに代わるものとして、薬液が充填されたプレフィルドカートリッジを装填するタイプのシリンジも従来一般に知られている。
ここで、プレフィルドカートリッジは、薬液が充填された筒状カートリッジの開口部をカートリッジキャップにより密封したものであり、筒状カートリッジには、プランジャが接続されるピストンが内蔵されている。また、カートリッジキャップには、プレフィルドカートリッジを装填したシリンジに装着される両頭針の注射針が貫通するガスケットが装着されている。
【先行技術文献】
【特許文献】
【０００３】
【特許文献１】特開２００８−３０７２３７号公報
【発明の概要】
【発明が解決しようとする課題】
【０００４】
ところで、従来のカートリッジキャップでは、薬液が充填された筒状カートリッジの開口部を密封する際に巻き込まれた空気の逃げ場がないために、筒状カートリッジ内に空気が残留する事態が頻発している。
本発明は、このような事態に対応してなされたものであり、薬液が充填された筒状カートリッジの開口部を密封する際に巻き込まれた空気が筒状カートリッジ内に残留するのを未然に防止することができるカートリッジキャップを提供することを課題とする。
【課題を解決するための手段】
【０００５】
このような課題を解決するため、第１の発明に係るカートリッジキャップは、薬液が充填された筒状カートリッジの開口部を密封するカートリッジキャップであって、天板部に連続する筒状壁部の内周面には、筒状カートリッジの開口部に形成されたつば状のリップ部の外周面が嵌合する嵌合受面と、リップ部を天板部との間に挟み込む挟持部とを有する複数の台状受部が周方向に所定の間隔を開けて形成されており、各台状受部間の筒状壁部の内周面に沿ってエアリリーフ通路が形成されることを特徴とする。
第１の発明に係るカートリッジキャップでは、薬液が充填された筒状カートリッジの開口部を密封する際に巻き込まれた空気は、筒状カートリッジのリップ部の外周面とカートリッジキャップの筒状壁部の内周面との間の隙間から筒状壁部の内周面に沿ったエアリリーフ通路を介して外部に逃がされる。
第１の発明のカートリッジキャップにおいて、天板部の外面にその周方向に所定の間隔を開けて複数の肉厚部が形成されており、各肉厚部の周方向位置が各台状受部間のエアリリーフ通路の周方向位置に対応して設定されていると、各肉厚部によりカートリッジキャップの各台状受部間の強度が補強されるので好ましい。
第２の発明に係るカートリッジキャップは、薬液が充填された筒状カートリッジの開口部を密封するカートリッジキャップであって、天板部に連続する筒状壁部の内周面には、筒状カートリッジの開口部に形成されたつば状のリップ部の外周面が嵌合する嵌合受面と、リップ部を天板部との間に挟み込む挟持部とを有する帯状受部が周方向に連続して形成されており、帯状受部の嵌合受面には筒状部を貫通するエアリリーフ穴が開口していることを特徴とする。
第２の発明に係るカートリッジキャップでは、薬液が充填された筒状カートリッジの開口部を密封する際に巻き込まれた空気は、筒状カートリッジのリップ部の外周面とカートリッジキャップの筒状壁部の内周面との間の隙間から筒状部を貫通するエアリリーフ穴を介して外部に逃がされる。
第１および第２の発明のカートリッジキャップにおいて、筒状壁部の内周面に形成される挟持部が筒状壁部の周方向に延びる帯状に形成されており、その周面に筒状カートリッジのリップ部の外周面を挟持位置まで案内するテーパ面が形成されていると、筒状カートリッジの開口部を密封する際、そのリップ部を挟持位置まで円滑に案内して筒状カートリッジの開口部を確実に密封することができるので好ましい。
【発明の効果】
【０００６】
第１の発明に係るカートリッジキャップでは、薬液が充填された筒状カートリッジの開口部を密封する際に巻き込まれた空気は、筒状カートリッジのリップ部の外周面とカートリッジキャップの筒状壁部の内周面との間の隙間から筒状壁部の内周面に沿ったエアリリーフ通路を介して外部に逃がされる。従って、第１の発明に係るカートリッジキャップによれば、薬液が充填された筒状カートリッジの開口部を密封する際に巻き込まれた空気が筒状カートリッジ内に残留するのを未然に防止することができる。
第１の発明のカートリッジキャップにおいて、天板部の外面にその周方向に所定の間隔を開けて複数の肉厚部が形成されており、各肉厚部の周方向位置が各台状受部間のエアリリーフ通路の周方向位置に対応して設定されている場合には、各肉厚部によりカートリッジキャップの各台状受部間の強度を増強することができる。
第２の発明に係るカートリッジキャップでは、薬液が充填された筒状カートリッジの開口部を密封する際に巻き込まれた空気は、筒状カートリッジのリップ部の外周面とカートリッジキャップの筒状壁部の内周面との間の隙間から筒状部を貫通するエアリリーフ穴を介して外部に逃がされる。従って、第２の発明に係るカートリッジキャップによれば、薬液が充填された筒状カートリッジの開口部を密封する際に巻き込まれた空気が筒状カートリッジ内に残留するのを未然に防止することができる。また、第２の発明に係るカートリッジキャップによれば、帯状受部が周方向に連続して形成されているため、第１の発明に係るカートリッジキャップよりも一層強固に筒状カートリッジの開口部を密封することができる。
第１および第２の発明のカートリッジキャップにおいて、筒状壁部の内周面に形成される各台状受部の挟持部が筒状壁部の周方向に延びる帯状に形成されており、その周面に筒状カートリッジのリップ部の外周面を挟持位置まで案内するテーパ面が形成されている場合には、筒状カートリッジの開口部を密封する際、そのリップ部を挟持位置まで円滑に案内して筒状カートリッジの開口部を確実に密封することができる。
【図面の簡単な説明】
【０００７】
【図１】第１の発明に対応した第１実施形態に係るカートリッジキャップを筒状カートリッジと共に示す正面図である。
【図２】図１に示した筒状カートリッジおよびカートリッジキャップを備えたプレフィルドカートリッジの使用例を示す注射器の分解正面図である。
【図３】図１に示したカートリッジキャップの拡大正面図である。
【図４】図３に示したカートリッジキャップの平面図である。
【図５】図４のＶ−Ｖ線に沿うカートリッジキャップの断面図である。
【図６】第１実施形態のカートリッジキャップが筒状カートリッジの開口部を密封した状態を示す断面図であって図４のＶ−Ｖ線に沿う断面図である。
【図７】第１実施形態のカートリッジキャップが筒状カートリッジの開口部を密封した状態を示すカートリッジキャップの断面図であって図４のＶＩＩ−ＶＩＩ線に沿う断面図である。
【図８】第２の発明に対応した第２実施形態に係るカートリッジキャップの断面図であって図５に相当する断面図である。
【図９】第２実施形態のカートリッジキャップの断面図であって図７に相当する断面図である。
【図１０】第２実施形態のカートリッジキャップが筒状カートリッジの開口部を密封した状態を示す断面図であって図６に相当する断面図である。
【発明を実施するための形態】
【０００８】
以下、添付の図面を参照して第１の発明に対応した第１実施形態に係るカートリッジキャップおよび第２の発明に対応した第２実施形態に係るカートリッジキャップを説明する。
まず、図１〜図７を参照して第１実施形態に係るカートリッジキャップを説明する。図１に示すように、第１実施形態に係るカートリッジキャップ１は、薬液が充填された円筒状カートリッジ２の開口部を密封するものであり、円筒状カートリッジ２の開口部に形成されたつば状の円形リップ部２Ａに図示しない打栓機を用いて打栓される。
円筒状カートリッジ２内には、薬液を充填し、かつ、充填された薬液を押し出すためのピストン３が内蔵されている。この円筒状カートリッジ２は、円形リップ部２Ａにカートリッジキャップ１が打栓されることにより、プレフィルドカートリッジとして図２に示す注射器のシリンジ４内に装填される。そして、円筒状カートリッジ２内のピストン３にはプランジャ５の先端部の接続ねじ部５Ａがねじ込み接続される。
また、シリンジ４の先端部の針装着部４Ａには、両頭針の注射針６がホルダ７を介して装着される。この両頭針の注射針６は、内端部がカートリッジキャップ１の天板部を貫通して円筒状カートリッジ２内に充填された薬液中に挿入される。
第１実施形態のカートリッジキャップ１は、図３〜図５に示すように、天板部１Ａに連続する円筒状壁部１Ｂを有し、天板部１Ａの中央には、上方が拡径したテーパ壁面１Ｃを有する貫通穴１Ｄが開口されている。そして、貫通穴１Ｄの周囲の天板部１Ａの外面には、図２に示したシリンジ４内でスペーサとして機能する４つの肉厚部１Ｅ，１Ｅ…が形成されている。これらの肉厚部１Ｅ，１Ｅ…は、天板部１Ａの円周方向に９０度の等角度間隔で配置されている。
ここで、図４に示すように、カートリッジキャップ１の円筒状壁部１Ｂの内周面には、４つの薄肉の台状受部１Ｆ，１Ｆ…が形成されている。これらの台状受部１Ｆ，１Ｆ…は、円筒状壁部１Ｂの円周方向に９０度の等角度間隔で配置されており、しかも、天板部１Ａの外面に形成された肉厚部１Ｅ，１Ｅ…に対して円周方向に４５度位相をずらして配置されている。すなわち、各台状受部１Ｆは、円筒状壁部１Ｂの円周方向において、肉厚部１Ｅ，１Ｅ間に配置されている。
図５に示すように、台状受部１Ｆは、正面視にて概略縦長の長方形を呈する。この台状受部１Ｆの上下方向中間部には、図１に示した円筒状カートリッジ２の円形リップ部２Ａの下縁部を係止して天板部１Ａとの間に挟み込むための挟持部１Ｇが円筒状壁部１Ｂの円周方向に沿って帯状に形成されている。また、台状受部１Ｆの挟持部１Ｇより上方部分には、円筒状カートリッジ２の円形リップ部２Ａの外周面が嵌合する嵌合受面１Ｈが形成されている。なお、台状受部１Ｆの挟持部１Ｇより下方部分には、円形リップ部２Ａの外周面を案内するガイド面１Ｊが形成されている。
台状受部１Ｆの挟持部１Ｇは、嵌合受面１Ｈおよびガイド面１Ｊから緩い山形の断面形状をなして膨出しており、嵌合受面１Ｈ側の上縁部には、円筒状カートリッジ２の円形リップ部２Ａ（図１参照）の下縁部を係止するための係止部１Ｋが形成されている。また、挟持部１Ｇの下半部には、円形リップ部２Ａの外周面を係止部１Ｋ側に案内するテーパガイド面１Ｌが形成されている。
以上のように構成された第１実施形態に係るカートリッジキャップ１は、図１に示すように、薬液が充填された円筒状カートリッジ２の開口部を密封するために使用される。それに先立って、カートリッジキャップ１内には、図５に示すように、天板部１Ａの内面に当接して貫通穴１Ｄを塞ぐガスケット８が予め装着される。そして、この状態でカートリッジキャップ１が円筒状カートリッジ２の開口部に形成された円形リップ部２Ａに図示しない打栓機を用いて打栓される。
この打栓作業により、カートリッジキャップ１は、図６に示すように円筒状カートリッジ２の円形リップ部２Ａを含む頭部に装着され、この状態でガスケット８により円筒状カートリッジ２の開口部を密封する。すなわち、カートリッジキャップ１は、円筒状壁部１Ｂの内周面に形成された４つの台状受部１Ｆ，１Ｆ…の係止部１Ｋと天板部１Ａの内面との間にガスケット８を介して円形リップ部２Ａを挟持することにより、円筒状カートリッジ２の開口部を密封する。
ここで、打栓作業の際にカートリッジキャップ１と円筒状カートリッジ２の開口部との間に巻き込まれた空気は、図７に示すように、円筒状カートリッジ２の円形リップ部２Ａの外周面と、カートリッジキャップ１の円筒状壁部１Ｂにおける４つの台状受部１Ｆ，１Ｆ…が形成されていない内周面との間の隙間を含む円筒状壁部１Ｂの内周面に沿ったエアリリーフ通路ＡＲを介して円筒状カートリッジ２の外部に逃がされる。
従って、第１実施形態のカートリッジキャップ１によれば、薬液が充填された円筒状カートリッジ２の開口部を密封する際に巻き込まれた空気が円筒状カートリッジ２内に残留するのを未然に防止することができる。
加えて、第１実施形態のカートリッジキャップ１によれば、図４に示すように、天板部１Ａの外面に形成された４つの肉厚部１Ｅ，１Ｅ…と、円筒状壁部１Ｂの内周面に形成された４つの台状受部１Ｆ，１Ｆ…とがカートリッジキャップ１の円周方向に４５度位相をずらして配置されており、各肉厚部１Ｅが円筒状壁部１Ｂにおける２つの台状受部１Ｆ，１Ｆ間の内周面に沿ったエアリリーフ通路ＡＲに対応した配置されているため、円筒状壁部１Ｂにおける台状受部１Ｆ，１Ｆ…が形成されていない部分の強度を肉厚部１Ｅ，１Ｅ…により補強することができる。
また、第１実施形態のカートリッジキャップ１によれば、円筒状壁部１Ｂの内周面に形成された各台状受部１Ｆの挟持部１Ｇが円筒状壁部１Ｂの内周方向に延びる帯状に形成されており、その周面に円筒状カートリッジ２の円形リップ部２Ａの外周面を挟持位置である係止部１Ｋ側に案内するテーパガイド面１Ｌが形成されているため、円筒状カートリッジ２の開口部を密封する際、その円形リップ部２Ａを挟持位置まで円滑に案内して円筒状カートリッジ２の開口部を確実に密封することができる。
つぎに、図８〜図１０を参照して第２実施形態に係るカートリッジキャップを説明する。第２実施形態のカートリッジキャップは、前述した第１実施形態のカートリッジキャップ１と同様に、薬液が充填された円筒状カートリッジ２の開口部を密封するものであり、円筒状カートリッジ２の開口部に形成されたつば状の円形リップ部２Ａに図示しない打栓機を用いて打栓される（図１参照）。
第２実施形態のカートリッジキャップ１１は、第１実施形態のカートリッジキャップ１と同様の構造部分を備えているため、同様の構造部分については、第１実施形態のカートリッジキャップ１と同じ符号を付して詳細な説明は省略する。
ここで、図８および図９に示すように、第２実施形態のカートリッジキャップ１１においては、円筒状壁部１Ｂの内周面に帯状受部１Ｍが周方向に連続して形成されている。この帯状受部１Ｍは、第１実施形態のカートリッジキャップ１に形成された台状受部１Ｆが円筒状壁部１Ｂの周方向に連続したものであり、その帯状受部１Ｍには、挟持部１Ｇ、嵌合受面１Ｈ、ガイド面１Ｊ、係止部１Ｋおよびテーパガイド面１Ｌが形成されている。
そして、帯状受部１Ｍの嵌合受面１Ｈには、円筒状壁部１Ｂを直径方向に貫通する一対のエアリリーフ穴１Ｎ，１Ｎが開口している。このエアリリーフ穴１Ｎ，１Ｎは、嵌合受面１Ｈの上下幅の中央部もしくは中央部よりも上側に設けられているのが好ましく、図示の例では、嵌合受面１Ｈの上下幅の中央部に納まる大きさの例えば長円形に形成されている。
エアリリーフ穴１Ｎ，１Ｎの開口面積は、小さ過ぎるとエアリリーフ効果が十分に発揮されないので、嵌合受面１Ｈ全体の面積の１／１０以上の面積とされており、大き過ぎるとカートリッジキャップ１１の強度が低下するので、嵌合受面１Ｈ全体の面積の１／３以下の面積とされている。
また、第２実施形態のカートリッジキャップ１１においては、これに挿入されるガスケット９の外周面をより強力に円筒状カートリッジ２の開口部に押し付けて密封性を向上させるための構造として、天板部１Ａの内面が上方に向かって縮径するテーパ天面１Ｐとして形成されている。
以上のように構成された第２実施形態に係るカートリッジキャップ１１は、図１０に示すように、円筒状カートリッジ２の開口部に形成された円形リップ部２Ａに図示しない打栓機を用いて打栓される。この打栓作業により、カートリッジキャップ１１は、円筒状カートリッジ２の円形リップ部２Ａを含む頭部に装着され、この状態でガスケット９により円筒状カートリッジ２の開口部を密封する。すなわち、カートリッジキャップ１１は、円筒状壁部１Ｂの内周面に形成された帯状受部１Ｍの係止部１Ｋと天板部１Ａテーパ天面１Ｐとの間にガスケット９を介して円形リップ部２Ａを挟持することにより、円筒状カートリッジ２の開口部を密封する。
ここで、打栓作業の際にカートリッジキャップ１１と円筒状カートリッジ２の開口部との間に巻き込まれた空気は、図１０に示すように、円筒状カートリッジ２の円形リップ部２Ａの外周面と、カートリッジキャップ１１の円筒状壁部１Ｂの内周面との間の隙間から円筒状壁部１Ｂを直径方向に貫通する一対のエアリリーフ穴１Ｎ，１Ｎを介して外部に逃がされる。
従って、第２実施形態のカートリッジキャップ１１によれば、薬液が充填された筒状カートリッジ２の開口部を密封する際に巻き込まれた空気が筒状カートリッジ２内に残留するのを未然に防止することができる。加えて第２実施形態のカートリッジキャップ１１によれば、帯状受部１Ｍが周方向に連続して形成されているため、第１実施形態のカートリッジキャップ１よりも一層強固に円筒状カートリッジ２の開口部を密封することができる。
また、第２実施形態のカートリッジキャップ１１によれば、円筒状壁部１Ｂの内周面に形成された帯状受部１Ｍの挟持部１Ｇが円筒状壁部１Ｂの内周方向に延びる帯状に形成されており、その周面に円筒状カートリッジ２の円形リップ部２Ａの外周面を挟持位置である係止部１Ｋ側に案内するテーパガイド面１Ｌが形成されているため、円筒状カートリッジ２の開口部を密封する際、その円形リップ部２Ａを挟持位置まで円滑に案内して円筒状カートリッジ２の開口部を確実に密封することができる。
本発明のカートリッジキャップは、前述した第１実施形態または第２実施形態に限定されるものではない。例えば、図４に示した４つの台状受部１Ｆ，１Ｆ…は、円筒状壁部１Ｂの円周方向に等角度間隔から若干ずれた不等角度間隔で配置されていてもよい。図４に示した４つの肉厚部１Ｅ，１Ｅ…についても同様である。
また、台状受部１Ｆ，１Ｆ…は、円筒状壁部１Ｂの円周方向に例えば１２０度の等角度間隔またはこれから若干ずれた不等角度間隔で配置された３つの台状受部１Ｆ，１Ｆ…としてもよい。図４に示した４つの肉厚部１Ｅ，１Ｅ…についても同様である。
さらに、第２実施形態のカートリッジキャップ１１において密封性を向上させるために採用した構造、すなわち天板部１Ａの内面を上方に向かって縮径するテーパ天面１Ｐとして形成した構造は、第１実施形態のカートリッジキャップ１にも適用することができる。
【符号の説明】
【０００９】
１  ：カートリッジキャップ
１Ａ：天板部
１Ｂ：円筒状壁部
１Ｃ：テーパ壁面
１Ｄ：貫通穴
１Ｅ：肉厚部
１Ｆ：台状受部
１Ｇ：挟持部
１Ｈ：嵌合受面
１Ｊ：ガイド面
１Ｋ：係止部
１Ｌ：テーパガイド面
１Ｍ：帯状受部
１Ｎ：エアリリーフ穴
１Ｐ：テーパ天面
２  ：円筒状カートリッジ
２Ａ：円形リップ部
３  ：ピストン
８  ：ガスケット
９  ：ガスケット
１１  ：カートリッジキャップ
【図１】
2011055853.tif 000003
【図２】
2011055853.tif 000004
【図３】
2011055853.tif 000005
【図４】
2011055853.tif 000006
【図５】
2011055853.tif 000007
【図６】
2011055853.tif 000008
【図７】
2011055853.tif 000009
【図８】
2011055853.tif 000010
【図９】
2011055853.tif 000011
【図１０】
2011055853.tif 000012
【国際調査報告】
2011055853.tif 000013
2011055853.tif 000014
2011055853.tif 000015
2011055853.tif 000016